(57)【特許請求の範囲】
【請求項１】
被写体を撮像することによって得られた映像信号に基づいて、それぞれのフレームに含まれる偽色に相当する特定色の面積に応じた第１の検出値を生成する第１の検出部と、
前記映像信号の彩度を調整する色調整部と、
前記第１の検出値に基づいて、それぞれのフレームに含まれる前記特定色の面積の割合が所定の閾値未満であるとき、前記映像信号の前記特定色の彩度を低減させるよう前記色調整部を制御する制御部と、
前記映像信号に基づいて、それぞれのフレームが所定の輝度以上の高輝度部を含む否かを検出する第２の検出部と、
を備え、
前記制御部は、前記第２の検出部が、それぞれのフレームが前記高輝度部を含むことを検出したとき、それぞれのフレームに含まれる前記特定色の面積の割合にかかわらず、前記映像信号の前記特定色の彩度を予め設定した最大の低減量だけ低減させるよう前記色調整部を制御する
撮像装置。
【請求項２】
被写体を撮像することによって得られた映像信号に基づいて、それぞれのフレームに含まれる偽色に相当する特定色の面積に応じた第１の検出値を生成する第１の検出部と、
前記映像信号の彩度を調整する色調整部と、
前記第１の検出値に基づいて、それぞれのフレームに含まれる前記特定色の面積の割合が所定の閾値未満であるとき、前記映像信号の前記特定色の彩度を低減させるよう前記色調整部を制御する制御部と、
を備え、
前記制御部は、前記閾値を、被写体を撮像する際の絞りが開放に向かうほど大きい値に変更する
撮像装置。
【請求項３】
被写体を撮像することによって得られた映像信号に基づいて、それぞれのフレームに含まれる偽色に相当する特定色の面積に応じた第１の検出値を生成する第１の検出部と、
前記映像信号の彩度を調整する色調整部と、
前記第１の検出値に基づいて、それぞれのフレームに含まれる前記特定色の面積の割合が所定の閾値未満であるとき、前記映像信号の前記特定色の彩度を低減させるよう前記色調整部を制御する制御部と、
を備え、
前記制御部は、前記特定色の彩度の最大の低減量を、被写体を撮像する際の絞りが開放に向かうほど大きい低減量に変更するよう前記色調整部を制御する
撮像装置。
【請求項４】
被写体を撮像することによって得られた映像信号に基づいて、それぞれのフレームに含まれる偽色に相当する特定色の面積に応じた第１の検出値を生成する第１の検出部と、
前記映像信号の彩度を調整する色調整部と、
前記第１の検出値に基づいて、それぞれのフレームに含まれる前記特定色の面積の割合が所定の閾値未満であるとき、前記映像信号の前記特定色の彩度を低減させるよう前記色調整部を制御する制御部と、
を備え、
前記制御部は、前記特定色の面積の割合が前記閾値以上のときの前記特定色の彩度を、被写体を撮像する際の絞りが開放に向かうほど彩度の低減量が大きい一定の上限値に制限するよう前記色調整部を制御する
撮像装置。
【請求項５】
被写体を撮像することによって得られた映像信号に基づいて、それぞれのフレームに含まれる偽色に相当する特定色の面積に応じた第１の検出値を生成する第１の検出部と、
前記映像信号の彩度を調整する色調整部と、
前記第１の検出値に基づいて、それぞれのフレームに含まれる前記特定色の面積の割合が所定の閾値未満であるとき、前記映像信号の前記特定色の彩度を低減させるよう前記色調整部を制御する制御部と、
を備え、
前記制御部は、前記特定色の面積の割合が前記閾値以上から前記閾値未満に変化したとき、第１の時間をかけて前記特定色の彩度を低減させ、前記特定色の面積の割合が前記閾値未満から前記閾値以上に変化したとき、前記第１の時間よりも短い第２の時間をかけて前記特定色の彩度を増加させる
撮像装置。
【請求項６】
前記制御部は、前記高輝度部を含まないフレームから前記高輝度部を含むフレームへと変化したとき、第１の時間をかけて前記特定色の彩度を低減させ、前記高輝度部を含むフレームから前記高輝度部を含まないフレームへと変化し、前記特定色の面積の割合が前記閾値以上であるとき、前記第１の時間よりも長い第２の時間をかけて前記特定色の彩度を増加させることを特徴とする請求項１に記載の撮像装置。
【請求項７】
前記制御部は、前記特定色の面積の割合が所定の閾値未満であるとき、前記特定色の面積の割合に応じて前記特定色の彩度を低減させる低減量を変化させる請求項１〜６のいずれか１項に記載の撮像装置。
【請求項８】
被写体を撮像することによって得られる映像信号の彩度を調整する色調整部によって、前記映像信号における偽色に相当する特定色の彩度を予め設定した最大の低減量だけ低減させた状態で撮像装置を起動し、
前記撮像装置の起動後に、第１の検出部によって、前記映像信号のそれぞれのフレームに含まれる前記特定色の面積に応じた検出値を生成し、
前記検出値に基づいて、それぞれのフレームに含まれる前記特定色の面積の割合が所定の閾値未満であるとき、前記色調整部によって、前記特定色の面積の割合に応じて前記特定色の彩度を低減させ、
第２の検出部によって、前記映像信号のそれぞれのフレームが所定の輝度以上の高輝度部を含む否かを検出し、
前記第２の検出部が、それぞれのフレームが前記高輝度部を含むことを検出したとき、それぞれのフレームに含まれる前記特定色の面積の割合にかかわらず、前記映像信号の前記特定色の彩度を予め設定した最大の低減量だけ低減させるよう前記色調整部を制御する
撮像装置の制御方法。
【請求項９】
前記検出値に基づいて、それぞれのフレームに含まれる前記特定色の面積の割合が前記閾値以上であるとき、前記色調整部によって、前記特定色の彩度の調整の程度を前記特定色の面積の割合にかかわらず一定の上限値に設定する請求項８に記載の撮像装置の制御方法。
【発明の詳細な説明】
【技術分野】
【０００１】
本発明は、偽色を低減することができる撮像装置及び撮像装置の制御方法に関する。
【背景技術】
【０００２】
撮像素子によって被写体からの光を光電変換して映像信号を生成する撮像装置においては、被写体を撮影する撮影条件によって本来の色とは異なる偽色が発生することがある。安価な光学系を搭載する撮像装置で明暗の差が大きい被写体を撮影すると、レンズ収差に起因する偽色が発生しやすい。
【０００３】
紫色の偽色が発生することが多く、パープルフリンジと称されている。パープルフリンジは偽色の中でも特に違和感を覚えやすいため、低減することが望ましい。
【先行技術文献】
【特許文献】
【０００４】
【特許文献１】特許第４７７０１５４号公報
【発明の概要】
【発明が解決しようとする課題】
【０００５】
特許文献１には、パープルフリンジを低減する低減手法が記載されている。特許文献１に記載されている低減手法は回路規模が大きくならざるを得ず、高コストとなってしまう。安価な光学系を搭載する撮像装置に高コストの低減手法を採用することは困難である。低コストでパープルフリンジ等の偽色を効果的に低減することができる低減手法が求められる。
【０００６】
本発明はこのような要望に対応するため、低コストで偽色を効果的に低減することができる撮像装置及び撮像装置の制御方法を提供することを目的とする。
【課題を解決するための手段】
【０００７】
本発明は、被写体を撮像することによって得られた映像信号に基づいて、それぞれのフレームに含まれる偽色に相当する特定色の面積に応じた第１の検出値を生成する第１の検出部と、前記映像信号の彩度を調整する色調整部と、前記第１の検出値に基づいて、それぞれのフレームに含まれる前記特定色の面積の割合が所定の閾値未満であるとき、前記映像信号の前記特定色の彩度を低減させるよう前記色調整部を制御する制御部と、前記映像信号に基づいて、それぞれのフレームが所定の輝度以上の高輝度部を含む否かを検出する第２の検出部とを備え、前記制御部は、前記第２の検出部が、それぞれのフレームが前記高輝度部を含むことを検出したとき、それぞれのフレームに含まれる前記特定色の面積の割合にかかわらず、前記映像信号の前記特定色の彩度を予め設定した最大の低減量だけ低減させるよう前記色調整部を制御する撮像装置を提供する。
【０００８】
また、本発明は、被写体を撮像することによって得られる映像信号の彩度を調整する色調整部によって、前記映像信号における偽色に相当する特定色の彩度を予め設定した最大の低減量だけ低減させた状態で撮像装置を起動し、前記撮像装置の起動後に、第１の検出部によって、前記映像信号のそれぞれのフレームに含まれる前記特定色の面積に応じた検出値を生成し、前記検出値に基づいて、それぞれのフレームに含まれる前記特定色の面積の割合が所定の閾値未満であるとき、前記色調整部によって、前記特定色の面積の割合に応じて前記特定色の彩度を低減させ、第２の検出部によって、前記映像信号のそれぞれのフレームが所定の輝度以上の高輝度部を含む否かを検出し、前記第２の検出部が、それぞれのフレームが前記高輝度部を含むことを検出したとき、それぞれのフレームに含まれる前記特定色の面積の割合にかかわらず、前記映像信号の前記特定色の彩度を予め設定した最大の低減量だけ低減させるよう前記色調整部を制御する撮像装置の制御方法を提供する。
【発明の効果】
【０００９】
本発明の撮像装置及び撮像装置の制御方法によれば、低コストで偽色を効果的に低減することができる。
【図面の簡単な説明】
【００１０】
【図１】一実施形態の撮像装置を示すブロック図である。
【図２】一実施形態の撮像装置で実行されるフレームのブロック分割を説明するための図である。
【図３】フレーム内の高輝度の周辺に偽色が発生している状態の一例を示す図である。
【図４】一実施形態の撮像装置において、特定色の面積割合に応じて彩度を調整する際の特性の一例を示す特性図である。
【図５】一実施形態の撮像装置において、特定色の面積割合の時間的な変化に対応して彩度をどのように調整するかの一例を示す図である。
【図６】一実施形態の撮像装置において、高輝度部の有無の時間的な変化に対応して彩度をどのように調整するかの一例を示す図である。
【図７】一実施形態の撮像装置において、絞りに設定している絞り値に応じて、特定色の面積割合に応じて彩度を調整する際の特性を異ならせる第１の例を示す特性図である。
【図８】一実施形態の撮像装置において、絞りに設定している絞り値に応じて、特定色の面積割合に応じて彩度を調整する際の特性を異ならせる第２の例を示す特性図である。
【図９】一実施形態の撮像装置において、絞りに設定している絞り値に応じて、特定色の面積割合に応じて彩度を調整する際の特性を異ならせる第３の例を示す特性図である。
【図１０】一実施形態の撮像装置の動作及び一実施形態の撮像装置の制御方法で実行される処理を説明するためのフローチャートである。
【図１１】一実施形態の撮像装置の具体的な動作の一例を説明するための図である。
【発明を実施するための形態】
【００１１】
以下、一実施形態の撮像装置及び撮像装置の制御方法について、添付図面を参照して説明する。
【００１２】
図１において、被写体からの光は、ズームレンズ１ｚと、絞り２と、フォーカスレンズ１ｆ等を介して、撮像素子３に入力される。実際には、撮像装置はさらに多くのレンズを含むが、ここでは簡略化して図示している。撮像素子３は、例えば、ＣＣＤ（Charge Coupled Device）またはＣＭＯＳ（Complementary Metal Oxide Semiconductor）である。
【００１３】
絞り２の開閉の状態は、制御部１０によって制御される。図１では図示を省略しているが、ズームレンズ１ｚ及びフォーカスレンズ１ｆの光軸方向の位置も、制御部１０によって制御される。制御部１０は、例えばＣＰＵ（Central Processing Unit）によって構成することができる。
【００１４】
撮像素子３は、入力された光を光電変換してアナログのＲＧＢ信号Srgb1を出力する。ＲＧＢ信号Srgb1は、例えば、フルハイビジョン（フルＨＤ）の解像度を有する映像信号、または、４Ｋと称されるフルＨＤの４倍の解像度を有する映像信号である。
【００１５】
撮像素子３は、ベイヤ配列のカラーフィルタを有する、いわゆる単板の撮像素子である。ＲＧＢ信号Srgb1は、フレーム内に、Ｒ（赤）の画素信号とＧ（緑）の画素信号とが交互に配置された水平方向の行と、Ｂ（青）の画素信号とＧの画素信号とが交互に配置された水平方向の行とが、垂直方向に交互に配列された信号である。
【００１６】
アナログ増幅器４は、制御部１０による制御に従って、ＲＧＢ信号Srgb1を所定の増幅ゲインで増幅してＲＧＢ信号Srgb2として出力する。
【００１７】
Ａ／Ｄ変換器５は、ＲＧＢ信号Srgb2をＡ／Ｄ変換して、デジタルのＲＧＢ信号Srgb3を出力する。ＲＧＢ信号Srgb3は、デモザイク処理部６に供給される。上記のように、ＲＧＢ信号Srgb1は、フレーム内で、Ｒ，Ｇ，Ｂの画素信号が混在した信号である。
【００１８】
デモザイク処理部６は、ＲＧＢ信号Srgb3におけるＲの画素信号が存在しない画素位置のＲの画素信号を周囲のＲの画素信号を用いて補間する。デモザイク処理部６は、ＲＧＢ信号Srgb3におけるＧの画素信号が存在しない画素位置のＧの画素信号を周囲のＧの画素信号を用いて補間する。デモザイク処理部６は、ＲＧＢ信号Srgb3におけるＢの画素信号が存在しない画素位置のＢの画素信号を周囲のＢの画素信号を用いて補間する。
【００１９】
以上のようにして、デモザイク処理部６は、Ｒ，Ｇ，ＢそれぞれのフレームよりなるＲＧＢ信号Srgb4を生成する。ＲＧＢ信号Srgb4は、色検出部７と、輝度検出部１１と、色調整部１４とに供給される。なお、ＲＧＢ信号は、映像信号の形態の一例である。
【００２０】
色検出部７は、図２に示すように、入力されたＲＧＢ信号Srgb4のそれぞれのフレームＦの画素を例えば水平方向に２４分割、垂直方向に２０分割して、４８０個のブロックＢｋに分割する。
【００２１】
本実施形態においては、低減させる偽色をパープルフリンジとする場合を例として説明する。色検出部７は、ブロックＢｋごとにＲＧＢ信号Srgb4のＲ信号，Ｇ信号，Ｂ信号の振幅値の平均値を算出する。色検出部７は、Ｒ信号，Ｇ信号，Ｂ信号の振幅値に基づき、それぞれのブロックＢｋが紫色を呈しているか否かを検出する。
【００２２】
マゼンタは紫色と近い色であるから、色検出部７は、それぞれのブロックＢｋがマゼンタを呈しているか否かを検出することによって、実質的に紫色を呈しているか否かを検出してもよい。
【００２３】
本実施形態において、それぞれのブロックＢｋが紫色を呈しているか否かを検出するとは、紫色そのものを呈しているか否かを検出することだけでなく、紫色の代用としてのマゼンタを呈しているか否かを検出することを含む。
【００２４】
ところで、撮像装置は、一般的に、ホワイトバランスを調整するために、上述のようにフレームＦの画素を複数のブロックＢｋに分割し、（Ｒ−Ｇ）の値と（Ｂ−Ｇ）の値との比率を計算することによって、Ｇ信号を基準とするＲ信号とＢ信号の比率を計算する回路を有する。即ち、色検出部７は、撮像装置が通常有する回路を用いることができる。
【００２５】
従って、本実施形態の撮像装置は、既存の撮像装置が通常有する機能を用いて、それぞれのブロックＢｋが紫色を呈しているか否かを検出することが可能である。よって、それぞれのブロックＢｋが紫色を呈しているか否かを検出するための色検出部７は、コストを上昇させることはない。
【００２６】
閾値設定部８には、色検出部７が紫色を呈しているか否かを検出するための閾値が設定されている。無彩色のＧ／Ｒ及びＧ／Ｂの値に対して、Ｇ／Ｒ及びＧ／Ｂの値が所定の割合未満であれば紫色であると判定することができる。閾値設定部８には、紫色であると判定するための所定の割合が閾値として設定されている。
【００２７】
閾値設定部８に設定する閾値は、制御部１０による制御によって変更可能とするのがよい。閾値を変更可能とすれば、紫色以外の偽色を検出することも可能となる。
【００２８】
図３に示すように、フレームＦの一部に所定の輝度以上の高輝度の複数のブロックＢｋよりなる高輝度部Ｐｈがあるとする。このような場合、高輝度部Ｐｈの周辺にパープルフリンジが発生しやすく、高輝度部Ｐｈの周囲には紫色を呈するブロックＢｋｐが発生する。
【００２９】
カウント部９は、それぞれのフレームＦで、紫色を呈していると検出されたブロックＢｋ（ブロックＢｋｐ）の数をカウントする。カウント部９がカウントしたカウント値は、制御部１０に供給される。
【００３０】
色検出部７と閾値設定部８とカウント部９は、被写体を撮像することによって得られたＲＧＢ信号Srgb4に基づいて、それぞれのフレームＦに含まれる偽色に相当する特定色の面積に応じた第１の検出値を生成する第１の検出部Det1として動作している。
【００３１】
輝度検出部１１は、色検出部７と同様に、入力されたＲＧＢ信号Srgb4のそれぞれのフレームＦの画素を４８０個のブロックＢｋに分割する。輝度検出部１１は、Ｒ信号，Ｇ信号，Ｂ信号の振幅値に基づき、ブロックＢｋごとに平均輝度値を算出して、それぞれのブロックＢｋが所定の輝度値以上の高輝度部であるか否かを検出する。
【００３２】
輝度検出部１１は、ＲＧＢ信号Srgb4に基づいて、それぞれのフレームＦが所定の輝度以上の高輝度部を含む否かを検出する第２の検出部Det2として動作している。
【００３３】
輝度検出部１１がそれぞれのフレームＦが高輝度部であるブロックＢｋを含むか否かの検出情報は、制御部１０に供給される。
【００３４】
色調整部１４は、制御部１０による制御に基づいて、入力されたＲＧＢ信号Srgb4の色を調整し、ＲＧＢ信号Srgb5として出力する。ＲＧＢ信号Srgb5は、撮像装置に搭載されている図示していないディスプレイに供給されて、映像表示される。ＲＧＢ信号Srgb5は、撮像装置に搭載されている図示していない記録部に供給されて記録されてもよい。
【００３５】
後述するように、色調整部１４は、ＲＧＢ信号Srgb4の色を調整して調整ＲＧＢ信号Srgb5とする場合と、ＲＧＢ信号Srgb4の色を調整せず、ＲＧＢ信号Srgb4をそのまま出力する場合とがある。いずれの場合も、便宜上、色調整部１４からの出力信号をＲＧＢ信号Srgb5と称することとする。
【００３６】
なお、色調整部１４は、適切な色味の映像とするために、ＲＧＢ信号Srgb4に対してカラーマネジメント処理を施す。色調整部１４がＲＧＢ信号Srgb4をそのまま出力するとは、後述するように、ＲＧＢ信号Srgb4の色を調整しないということである。色調整部１４は、ＲＧＢ信号Srgb4の色を調整する場合であっても調整しない場合であっても、ＲＧＢ信号Srgb4に対してカラーマネジメント処理を施したＲＧＢ信号Srgb5を出力する。
【００３７】
制御部１０は、少なくともカウント部９より入力されたカウント値に応じて、色調整部１４におけるＲＧＢ信号Srgb4の色の調整を制御する。好ましくは、制御部１０は、カウント部９より入力されたカウント値と、輝度検出部１１より入力された検出情報とに応じて、色調整部１４におけるＲＧＢ信号Srgb4の色の調整を制御する。
【００３８】
さらに好ましくは、制御部１０は、カウント部９より入力されたカウント値と、輝度検出部１１より入力された検出情報と、絞り２に設定している絞り値とに応じて、色調整部１４におけるＲＧＢ信号Srgb4の色の調整を制御する。
【００３９】
操作部１２は、少なくとも、撮像装置の電源を投入し切断する操作ボタンを有する。操作部１２は、撮像装置の筐体に設けられていてもよいし、撮像装置とは別体のリモートコントローラであってもよい。
【００４０】
操作部１２によって撮像装置の電源を投入する指示がなされると、制御部１０による制御によって、電源部１３は電力を必要とする各部に電力を供給する。操作部１２によって撮像装置の電源を切断する指示がなされると、制御部１０による制御によって、電源部１３は各部への電力の供給を切断する。
【００４１】
＜特定色の面積割合に応じた特定色の彩度調整の例＞
まず、制御部１０が、カウント部９より入力されたカウント値に応じて、色調整部１４におけるＲＧＢ信号Srgb4の色の調整を制御する基本的な構成を説明する。
【００４２】
操作部１２によって撮像装置の電源を投入する指示がなされると、制御部１０は、電源部１３が各部に電力を供給するよう制御して撮像装置を起動させる。このとき、制御部１０は、紫色の彩度を７０％に低減させた状態とするよう色調整部１４を制御する。即ち、撮像装置は、紫色の彩度が７０％に低減された状態で起動する。
【００４３】
撮像装置による被写体の撮影が開始されると、制御部１０には紫色を呈するブロックＢｋの数をカウントしたカウント値が入力される。制御部１０には、図４に示すように、特定色面積割合（ここでは紫色の面積割合）と彩度調整量との関係が設定されている。
【００４４】
図４において、彩度調整量１００％とは、特定色の彩度を低減させていない状態である。このとき、色調整部１４は入力されたＲＧＢ信号Srgb4における特定色の彩度を調整せずＲＧＢ信号Srgb4をそのままＲＧＢ信号Srgb5として出力する。
【００４５】
また、図４において、例えば彩度調整量７０％とは、特定色の彩度を３０％低減させた状態である。このとき、色調整部１４は入力されたＲＧＢ信号Srgb4における特定色の彩度を３０％低減させた７０％に調整してＲＧＢ信号Srgb5として出力する。
【００４６】
制御部１０は、入力されたカウント値に基づき、特定色面積割合が８％未満であれば、図４に示す特性に基づいて、紫色の彩度を７０％以上１００％未満で低減させるよう色調整部１４を制御する。制御部１０は、特定色面積割合が８％以上であれば、紫色の彩度を１００％とするよう色調整部１４を制御する。即ち、制御部１０は、特定色面積割合が８％以上のとき紫色の彩度を低減させない。
【００４７】
１つのフレームＦに占める紫色の面積割合が８％未満というわずかな面積であると、紫色を呈するブロックＢｋは被写体が実際に紫色を呈しているのではなく、パープルフリンジである可能性が高い。逆に、紫色の面積割合が８％以上であれば、紫色を呈するブロックＢｋは被写体が実際に紫色を呈している可能性が高い。
【００４８】
紫色の面積割合の８％という閾値は、本発明者による検証によって選択された最適値である。但し、後述するように、種々の条件によって最適な閾値は変動することがある。
【００４９】
本実施形態の撮像装置によれば、制御部１０が紫色の面積割合が８％未満のときに紫色の彩度を低減させるよう色調整部１４を制御することにより、パープルフリンジを低減させて、視覚的に目立たないようにすることができる。
【００５０】
被写体が実際に紫色を呈しており、紫色の面積割合が８％以上であることが検出されると、撮像装置が被写体の撮影を開始した後の２または３フレーム後には、紫色の彩度が１００％とされる。よって、ユーザは、撮影開始直後の彩度が低減されている状態に違和感を覚えることはほとんどない。
【００５１】
ところで、色調整部１４が入力されたＲＧＢ信号Srgb4における紫色の彩度を低減させる処理は、それぞれのフレームＦ全体に対してなされる。紫色の彩度の低減処理はフレームＦ内で紫色を呈していない部分には特に影響しない。よって、パープルフリンジの部分以外の撮影映像に悪影響を及ぼすことはない。
【００５２】
色調整部１４は、フレームＦを図２と同様に複数の領域に分割して、パープルフリンジが発生している部分のＲＧＢ信号Srgb4のみに対して、紫色の彩度を低減させる処理を実行させるように構成することも可能である。
【００５３】
紫色の面積割合が８％の前後で頻繁に変化すると、紫色の彩度が頻繁に増減して色のハンチング現象が発生する。ハンチング現象を抑制するために、制御部１０は所定の時定数を設けて徐々に紫色の彩度を調整するよう色調整部１４を制御することが好ましい。
【００５４】
図５の（ａ）は、時間の経過に伴って紫色の面積割合が８％の前後で変化する例を示している。図５の（ｂ）は、図５の（ａ）に対応して、制御部１０の制御に基づく色調整部１４による紫色の彩度調整量の変化を示している。
【００５５】
紫色の面積割合が８％以上から８％未満に変化したときには、色調整部１４は例えば１秒程度の時間をかけて徐々に彩度を低減させることが好ましい。紫色の面積割合が８％未満から８％以上に変化したときには、色調整部１４は即座に彩度を１００％とすることが好ましい。
【００５６】
即ち、制御部１０は、特定色の面積割合が閾値以上から閾値未満に変化したとき、第１の時間をかけて特定色の彩度を低減させ、特定色の面積割合が閾値未満から閾値以上に変化したとき、第１の時間よりも短い第２の時間をかけて特定色の彩度を増加させる。
【００５７】
このように、制御部１０は、紫色の彩度を増減させるとき、ヒステリシス動作をさせるよう色調整部１４を制御するのがよい。
【００５８】
＜特定色の面積割合及び高輝度部の有無に応じた特定色の彩度調整の例＞
以上説明した基本的な構成に加えて、制御部１０が、輝度検出部１１より入力された検出情報に応じて、ＲＧＢ信号Srgb4の色の調整を制御する好ましい構成を説明する。
【００５９】
図３で説明したように、フレームＦが高輝度部Ｐｈを含んでいれば、パープルフリンジが発生している可能性が高い。そこで、制御部１０は、フレームＦが少なくとも１つの高輝度部のブロックＢｋを含めば、紫色の面積割合にかかわらず常に紫色の彩度を予め設定した最大の低減量である７０％に低減させた状態とするよう色調整部１４を制御することが好ましい。
【００６０】
制御部１０は、検出情報に基づきフレームＦが少なくとも１つの高輝度部のブロックＢｋを含むとき紫色の彩度を７０％に低減させ、高輝度部のブロックＢｋを含まなければ、図４のように紫色の面積割合に応じて紫色の彩度を調整する。制御部１０は、複数の高輝度部のブロックＢｋを含むとき紫色の彩度を７０％に低減させてもよい。
【００６１】
高輝度部の有無が頻繁に変化すると、紫色の彩度が頻繁に増減して色のハンチング現象が発生する。ハンチング現象を抑制するために、制御部１０は、紫色の面積割合が変化する場合と同様に、ヒステリシス動作をさせるよう、色調整部１４を制御するのがよい。
【００６２】
図６の（ａ）に示すように、輝度検出部１１は、いずれかのブロックＢｋの輝度値が破線で示す閾値を超えるとき、そのブロックＢｋは高輝度部であると判定して、フレームＦは高輝度部を含む旨の検出情報を出力するとする。ここでは、紫色の面積割合は、継続的に８％以上であるとする。
【００６３】
図６の（ｂ）に示すように、制御部１０は、高輝度部を含まないフレームＦから高輝度部を含むフレームＦへと変化したとき、特定色の彩度を瞬時に（第１の時間で）最大の低減量まで低減させる。
【００６４】
制御部１０は、高輝度部を含むフレームＦから高輝度部を含まないフレームＦへと変化したとき（かつ、特定色の面積割合が閾値以上であるとき）、第１の時間よりも長い第２の時間をかけて特定色の彩度を１００％まで増加させる。
【００６５】
＜特定色の面積割合と高輝度部の有無と絞り値に応じた特定色の彩度調整の例＞
特定色の面積割合と高輝度部の有無に加えて、制御部１０が、絞り２の開閉の状態を示す絞り値に応じて、ＲＧＢ信号Srgb4の色の調整を制御するさらに好ましい構成を説明する。
【００６６】
絞り２が開放に向かうに従って、軸上色収差と称されるレンズ収差が増えるため、パープルフリンジが増加する傾向となる。そこで、紫色の彩度を絞り２の絞り値に応じて調整することが好ましい。
【００６７】
図７は、絞り２が開放に向かうに従って、紫色の面積割合の閾値を８％より大きな値とした例である。絞り値がＦ２．０以上であるとき、図４と同じ特性とする。制御部１０は、絞り値がＦ１．２のとき紫色の面積割合の閾値を例えば１６％とする。制御部１０は、絞り値がＦ２．０からＦ１．２の間では、一点鎖線で示すように、閾値を、絞り値が開放に向かうほど大きい値の８％と１６％との間の値とする。
【００６８】
図８は、紫色の面積割合の閾値を８％で固定とし、絞り２が開放に向かうに従って、紫色の彩度をより大きく低減させるようにした例である。絞り値がＦ２．０以上であるとき、図４と同じ特性とする。制御部１０は、絞り値がＦ１．２のとき紫色の彩度の最大の低減量を例えば５０％とする。
【００６９】
制御部１０は、絞り値がＦ２．０からＦ１．２の間では、一点鎖線で示すように、絞り２が開放に向かうほど最大の低減量を大きくする。
【００７０】
図９は、絞り２が開放に向かうに従って、紫色の彩度の上限値を１００％よりも低い一定値に抑えるようにした例である。絞り値がＦ２．０以上であるとき、図４と同じ特性とする。制御部１０は、絞り値がＦ１．２のとき紫色の彩度の上限値を８０％に低減させた値とする。
【００７１】
制御部１０は、絞り値がＦ２．０からＦ１．２の間では、一点鎖線で示すように、絞り２が開放に向かうほど、上限値を１００％と８０％との間で上限値を低くする。即ち、制御部１０は、絞り２が開放に向かうほど、紫色の彩度の低減量を多くして、彩度を制限する。
【００７２】
図９の例では、彩度の上限値を制限するのに併せて、紫色の面積割合に応じて彩度を低減させる閾値も変化することになる。
【００７３】
図７〜図９において、絞り値がＦ２．０以上を、絞り値がＦ２．８以上としてもよく、絞り値のＦ２．０は一例である。
【００７４】
図１０を用いて、本実施形態の撮像装置の動作、及び、本実施形態の撮像装置の制御方法で実行される処理を説明する。図１０は、高輝度部の有無に応じて紫色の彩度を調整する場合を示している。
【００７５】
図１０において、制御部１０は、ステップＳ１にて、電源投入の操作がなされたか否かを判定する。電源投入の操作がなされなければ（NO）、制御部１０は、ステップＳ１の処理を繰り返す。電源投入の操作がなされれば（YES）、制御部１０は、ステップＳ２にて、彩度調整量を最大の低減量に設定して撮像装置を起動する。
【００７６】
なお、図８で説明したように絞り値に応じて紫色の彩度を調整する場合には、ステップＳ２における彩度調整量の最大の低減量は、絞り値に応じて変化した値となる。
【００７７】
撮像装置の起動後、制御部１０は、ステップＳ３にて、フレームＦが高輝度部を含むか否かを判定する。高輝度部を含めば（YES）、制御部１０は、ステップＳ４にて、彩度調整量を最大の低減量に維持して、処理をステップＳ８に移行させる。
【００７８】
高輝度部を含まなければ（NO）、制御部１０は、ステップＳ５にて、特定色の面積割合は閾値未満であるか否かを判定する。なお、図７及び図９で説明したように絞り値に応じて紫色の彩度を調整する場合には、ステップＳ５における閾値は、絞り値に応じて変化した値となる。
【００７９】
特定色の面積割合が閾値未満であれば（YES）、制御部１０は、ステップＳ６にて、面積割合に応じて彩度調整量を設定して、処理をステップＳ８に移行させる。特定色の面積割合が閾値未満でなければ（NO）、制御部１０は、ステップＳ７にて、彩度調整量を一定の上限値に設定して、処理をステップＳ８に移行させる。
【００８０】
彩度調整量を一定の上限値に設定するとは、図４，図７，図８の例では、彩度調整量１００％、即ち、彩度を低減させない状態にするということである。図９の例では、彩度調整量を一定の上限値に設定するとは、彩度調整量をそれぞれの絞り値に対応した上限値に設定するということである。
【００８１】
制御部１０は、ステップＳ８にて、電源切断の操作がなされたか否かを判定する。電源切断の操作がなされなければ（NO）、制御部１０は、処理をステップＳ３に戻し、ステップＳ３以降の処理を繰り返す。電源切断の操作がなされれば（YES）、制御部１０は、ステップＳ９にて、撮像装置の電源を切断して処理を終了させる。
【００８２】
図１１を用いて、本実施形態の撮像装置の具体的な動作の一例を説明する。図１１の（ａ）に示すように、時間の経過に伴って、被写体を撮影している周囲の明るさが低下して暗くなるとする。
【００８３】
制御部１０は、図１１の（ｂ）に示すように、周囲が暗くなるに従って絞り２を線形的に開放させていく。制御部１０は、周囲が暗くなるに従って絞り２をＦ１．２まで開放させていくのが一般的である。本実施形態の撮像装置においては、時刻ｔ１にて絞り２をＦ２．０まで開放させたら、制御部１０は、時刻ｔ１以降、一旦、絞り２をＦ２．０に固定させる。
【００８４】
制御部１０は、図１１の（ｃ）に示すように、アナログ増幅器４におけるＲＧＢ信号Srgb1に対する増幅ゲインを、時刻ｔ１以降、最小値から線形的に増大させていく。制御部１０は、時刻ｔ２にてＲＧＢ信号Srgb1に対する増幅ゲインが最大値に達したら、増幅ゲインを最大値に固定させる。
【００８５】
このように、制御部１０は、絞り２の絞り値をＦ２．０に固定させている時刻ｔ１から時刻ｔ２までの期間において、絞り２を開放して撮影映像を明るくする代わりに、アナログ増幅器４における増幅ゲインを増大させることによって撮影映像を明るくする。
【００８６】
前述のように、絞り２を開放させていくと軸上色収差が増えてパープルフリンジが増加する傾向となるが、図１１に示す例では、絞り値をＦ２．０に固定することによってパープルフリンジの増加を抑えることができる。
【００８７】
制御部１０は、図１１の（ｂ）に示すように、時刻ｔ２以降、周囲が暗くなるに従って絞り２を絞り値Ｆ１．２まで線形的に開放させていく。絞り２を、絞り値Ｆ２．０を超えて開放させていくと、パープルフリンジが増加する。そこで、図１１の（ｄ）に示すように、制御部１０は、時刻ｔ２にて、上述した特定色の彩度を低減させる機能をオフからオンに切り替える。
【００８８】
本発明は以上説明した本実施形態に限定されず、本発明の要旨を逸脱しない範囲において種々変更可能である。特定色の面積割合に応じて特定色の彩度を調整する基本的な構成に加えて、図７〜図９に示すように、絞り値に応じて特定色の彩度を調整する際の特性を異ならせてもよい。
【００８９】
図４，図７〜図９における彩度調整量の特性において、彩度を低減させる部分は線形となっているが、非線形であってもよい。
【００９０】
制御部１０は、焦点距離に応じて、面積割合の閾値、最大の低減量、上限値を変更してもよい。制御部１０は、フレームＦ内の位置によって面積割合の閾値、最大の低減量、上限値を変更してもよい。制御部１０は、フレームＦ内の端部近傍の領域で、彩度をより多く低減させるようにしてもよい。制御部１０は、フォーカスが合っていない領域で、彩度をより多く低減させるようにしてもよい。
【００９１】
撮像装置が顔検出機能を有する場合には、制御部１０は、顔の領域における彩度を低減させないとか、低減の程度を少なくしてもよい。
【符号の説明】
【００９２】
７  色検出部
８  閾値設定部
９  カウント部
１０  制御部
１１  輝度検出部
１４  色調整部
Det1  第１の検出部
Det2  第２の検出部
【図１】
0006578839.tif 000002
【図２】
0006578839.tif 000003
【図３】
0006578839.tif 000004
【図４】
0006578839.tif 000005
【図５】
0006578839.tif 000006
【図６】
0006578839.tif 000007
【図７】
0006578839.tif 000008
【図８】
0006578839.tif 000009
【図９】
0006578839.tif 000010
【図１０】
0006578839.tif 000011
【図１１】
0006578839.tif 000012